【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
画像を表示させる表示領域を備えた略矩形平板状の平面表示パネルと、
光源、この光源に一側部を対向させて配設されこの光源からの光を一主面に向けた面状の光に変換する略矩形平板状の面状光源変換体を備え、この面状光源変換体の一主面を前記平面表示パネルの表示領域に対向させて配設され、前記面状光源変換体の一主面から出射する面状の光を前記平面表示パネルの表示領域へと入射させる面状光源体と、
この面状光源体を収容する略矩形枠状の本体部を備えたフレームとを具備し、
前記本体部は、前記光源が配置された部分と反対側の部分が、前記面状光源変換体の非光入射面の中央部との間に所定の間隙を介して対向する中央縁部と、前記面状光源変換体の非光入射面の両端部との間に前記間隙よりも大きい間隙を介して対向する拡開縁部と、この拡開縁部と前記中央縁部とを連接する接続縁部とにより構成されている
ことを特徴とした平面表示装置。
【請求項２】
フレームは、本体部の裏面側に、この本体部から略直交する内方向へと一体に形成され、面状光源変換体の非光入射面側を保持する保持片部を備え、
前記保持片部の表面は、中央部で狭く、両端部側で広くなるように形成されている
ことを特徴とした請求項１記載の平面表示装置。
【請求項３】
フレームは、面状光源変換体の他側部の長手方向に沿った中央部に対向する中央縁部と、この中央縁部および拡開縁部を接続させるテーパ状の接続縁部とを備えた
ことを特徴とした請求項１または２記載の平面表示装置。
【請求項４】
フレームは、面状光源変換体の他側部の長手方向に沿った中央部に対向する中央縁部と、この中央縁部および拡開縁部を接続させる円弧状に突出した接続縁部とを備えた
ことを特徴とした請求項１または２記載の平面表示装置。
【請求項５】
請求項１ないし４いずれか記載の平面表示装置を具備し、
この平面表示装置の平面表示パネルは、液晶表示パネルである
ことを特徴とした液晶表示装置。
【手続補正２】
【補正対象書類名】明細書
【補正対象項目名】０００７
【補正方法】変更
【補正の内容】
【０００７】
本発明は、画像を表示させる表示領域を備えた略矩形平板状の平面表示パネルと、光源、この光源に一側部を対向させて配設されこの光源からの光を一主面に向けた面状の光に変換する略矩形平板状の面状光源変換体を備え、この面状光源変換体の一主面を前記平面表示パネルの表示領域に対向させて配設され、前記面状光源変換体の一主面から出射する面状の光を前記平面表示パネルの表示領域へと入射させる面状光源体と、この面状光源体を収容する略矩形枠状の本体部を備えたフレームとを具備し、前記本体部は、前記光源が配置された部分と反対側の部分が、前記面状光源変換体の非光入射面の中央部との間に所定の間隙を介して対向する中央縁部と、前記面状光源変換体の非光入射面の両端部との間に前記間隙よりも大きい間隙を介して対向する拡開縁部と、この拡開縁部と前記中央縁部とを連接する接続縁部とにより構成されているものである。
【手続補正３】
【補正対象書類名】明細書
【補正対象項目名】０００８
【補正方法】変更
【補正の内容】
【０００８】
そして、面状光源体の面状光源変換体の一主面を平面表示パネルの表示領域に対向させて配設させた状態で、これら面状光源体および平面表示パネルのそれぞれがフレームに収容される。このとき、このフレームの本体部の拡開縁部によって、面状光源体の光源の反対側に位置する面状光源変換体の非光入射面の両端部が、フレームに対して間隙を介して配設される。したがって、熱衝撃下で面状光源変換体が非光入射面側に移動した際に、この面状光源変換体の移動をフレームの拡開縁部が吸収する。このため、このフレームからの面状光源変換体の外れを確実に防止できる。
【手続補正４】
【補正対象書類名】明細書
【補正対象項目名】０００９
【補正方法】変更
【補正の内容】
【０００９】
本発明によれば、フレームの本体部の拡開縁部によって、面状光源体の光源の反対側に位置する面状光源変換体の非光入射面の両端部が、フレームに対して間隙を介して配設される。このため、熱衝撃下で面状光源変換体が非光入射面側に移動した際に、この面状光源変換体の移動をフレームの拡開縁部で吸収できる。よって、このフレームからの面状光源変換体の外れを確実に防止できる。
【手続補正５】
【補正対象書類名】明細書
【補正対象項目名】００２０
【補正方法】変更
【補正の内容】
【００２０】
さらに、この導光体26は、冷陰極管22からの線状の光が光入射面26aを介して入射されて、この線状の光を導光体26の側に向けて面状に屈折させて面状の光である面状光源に変換して、この面状の光を液晶表示パネル２の表示画面エリア８の裏面側に照射させて透過させる。そして、この導光体26は、この導光体26の表面26bを液晶表示パネル２の表示画面エリア８の裏面側に対向させた状態で配設されている。さらに、この導光体26は、この導光体26の表面26b側から出射する面状の光を液晶表示パネル２の表示画面エリア８へと入射させる。
【手続補正６】
【補正対象書類名】明細書
【補正対象項目名】００２７
【補正方法】変更
【補正の内容】
【００２７】
また、このランプリフレクタ31の幅方向に沿った両側部である上端部33および下端部34のそれぞれには、このランプリフレクタ31の高さ方向の中心側にそれぞれ屈曲された屈曲部35,36が設けられている。さらに、このランプリフレクタ31の上端部33は、導光体26の表面26bと集光シート27との間に長手方向に沿って挟まれた状態で取り付けられている。すなわち、このランプリフレクタ31は、集光シート27の厚さ寸法と略等しい、あるいはこの厚さ寸法よりも小さな厚さ寸法を有している。また、このランプリフレクタ31の下端部34は、導光体26の裏面26dに対向して配設された反射シート29の裏面29aに所定幅が長手方向に沿って重ねられた状態で、この反射シート29の裏面29a上に配設されている。
【手続補正７】
【補正対象書類名】明細書
【補正対象項目名】００３５
【補正方法】変更
【補正の内容】
【００３５】
また、これら拡開凹部47と中央縁部46との間の段差部には、これら拡開凹部47と中央縁部46とをテーパ状に傾斜させて滑らかに結んで接続させる接続部である接続縁部としての接続片部48がそれぞれ設けられている。これら接続片部48それぞれは、本体部41の内側面41aの長手方向に沿った拡開凹部47と中央縁部46との間に設けられている。すなわち、これら接続片部48のそれぞれは、本体部41の内側面41aの長手方向に沿った中央部から、この内側面41aの長手方向に沿った両端部に向かうに連れて、本体部41の高さ方向に沿った他側部側に向けて傾斜している。ここで、これら接続片部48のそれぞれは、導光体26の熱伸縮による、この導光体26の表面26bから出射される面状の光の輝度むらを防止させる。
【手続補正８】
【補正対象書類名】明細書
【補正対象項目名】００５１
【補正方法】変更
【補正の内容】
【００５１】
よって、この導光体26の輝度むらの発生を防止しつつ、この導光体26の熱伸縮によるフレーム40からの外れを防止できるので、この導光体26の輝度および品位を維持しつつ、この導光体26の熱伸縮によるフレーム40からの外れを防止できる。この結果、冷陰極管22からの光を漏らすことなく、高輝度および高品位を維持できるとともに、従来に比べて温度サイクル環境下においても画面品位を維持した液晶表示装置１を得ることができる。
【手続補正９】
【補正対象書類名】明細書
【補正対象項目名】００５６
【補正方法】変更
【補正の内容】
【００５６】
１    平面表示装置としての液晶表示装置
２    平面表示パネルとしての液晶表示パネル
８    表示領域としての表示画面エリア
15    面状光源体としてのバックライト
22    光源としての冷陰極管
26    面状光源変換体としての導光体
26a   一側部としての光入射面
26e   他側部としての非光入射面
26f   中央部
26g   端部
40    フレーム
41 本体部
43 保持片部
46    中央縁部
47    拡開縁部としての拡開凹部
48    接続縁部としての接続片部
Ａ 間隙
Ｂ    間隙
【手続補正１０】
【補正対象書類名】図面
【補正対象項目名】図１
【補正方法】変更
【補正の内容】
【図１】
2007052284.tif 000001
【手続補正１１】
【補正対象書類名】図面
【補正対象項目名】図２
【補正方法】変更
【補正の内容】
【図２】
2007052284.tif 000002
【手続補正１２】
【補正対象書類名】図面
【補正対象項目名】図５
【補正方法】変更
【補正の内容】
【図５】
2007052284.tif 000003
【手続補正１３】
【補正対象書類名】図面
【補正対象項目名】図７
【補正方法】変更
【補正の内容】
【図７】
2007052284.tif 000004